(57)【要約】【課題】生地同士の接合線による跡付きが抑制され、吸収性物品装着時の股下部への固定安定性と全体としてのフィット感や装着感に優れたサニタリーショーツの提供。【解決手段】吸収性物品がクロッチ部４に取り付けられて使用されるサニタリーショーツ１であって、生地である編地を接合することなく筒状の胴回り部７が形成されている。クロッチ部４の後端は後身頃３と縫合されており、その縫合線１５が後身頃３に向かって湾曲している。クロッチ部４の幅方向Ｘの中央域に、縫合線１５から前身頃２に向かって、縦方向Ｙへの伸長性が低い第１難伸長領域４１が形成されている。【選択図】図１
2014110829.tif 000002
【特許請求の範囲】
【請求項１】
前身頃及び後身頃の間をクロッチ部を介して延びる方向である縦方向と、これに直交する幅方向を備え、吸収性物品が該クロッチ部に取り付けられて使用される、縦方向に伸長性を有するサニタリーショーツであって、
前記前身頃と前記後身頃は幅方向に関して、生地である編地が接合部を有さない筒状の一体構造をなして、胴開口部を有する胴回り部を備え、
前記クロッチ部の前記後身頃寄りの端部は該後身頃の編地と縫合されて縫合線を形成しており、その縫合線が幅方向の左右両端より中央部へ向かい、前記後身頃側に凸の湾曲形状となっており、
前記クロッチ部における幅方向中央部に、前記縦方向に０．５Ｎ荷重を加えたときの伸長率がその外側周囲部よりも低い第１難伸長領域が、前記縫合線から前身頃方向に向かって漸次幅が狭くなるように、後身頃側の前記クロッチ部内に形成されているサニタリーショーツ。
【請求項２】
前記第１難伸長領域の外側周囲には、該第１難伸長領域よりも、縦方向に０．５Ｎ荷重を加えたときの伸長率が高い第２難伸長領域が形成され、
該第２難伸長領域はその外側周囲よりも、縦方向に５Ｎ荷重を加えたときの伸長率が低く、前記縫合線を縦方向に跨いで後身頃の幅方向の端部領域まで配置されている請求項１に記載のサニタリーショーツ。
【請求項３】
前記後身頃の幅方向中央域において、前記胴開口部近傍を含む領域に、その両側部よりも、ショーツの縦方向に５Ｎ荷重を加えたときの伸長率が低い後方サポート部が、前記第２難伸長領域と離間して形成されている請求項１又は２項に記載のサニタリーショーツ。
【請求項４】
前記後身頃の幅方向中央域において、前記第２難伸長領域と前記後方サポート部との間に、縦方向に５Ｎの荷重を加えたときの伸長率がその幅方向外側よりも低い臀部帯部を有しており、
前記臀部帯部は前記クロッチ部から胴開口部に向けて伸長率が高くなる請求項３に記載のサニタリーショーツ。
【請求項５】
前記臀部帯部の両側部に位置する領域では、幅方向に５Ｎの荷重を加えたときの伸長率が、縦方向に５Ｎの荷重を加えたときの伸長率に比べて高い請求項４に記載のサニタリーショーツ。
【発明の詳細な説明】
【技術分野】
【０００１】
本発明は、生理用ナプキン等の吸収性物品がクロッチ部に取り付けられて使用されるサニタリーショーツに関する。
【背景技術】
【０００２】
生理用品やパンティライナー等の吸収性物品は一般に、その着衣対向面に施されたホットメルト粘着剤等の固定材料によって、サニタリーショーツ等の衣類に固定されて使用される。これによって吸収性物品の変形を防ぐとともに吸収性物品を着用者の身体に密着させ、吸収性物品からの液漏れを防止するとともに装着感を良好にすることを図っている。
従来のサニタリーショーツとしては、着用時に着用者の腹側に配される前身頃と背側に配される後身頃と股間部に配されるクロッチ部とが別々のパーツから形成されたものが知られており、特許文献１には、ウエストや胴回り部から股下部へ向けて強い収縮力を有する生地を配置したサニタリーショーツが開示されている。
【０００３】
一方で、特許文献２には、レッグ開口部が装着者の大腿部に位置する、いわゆる一分丈と呼ばれるタイプの生理用ショーツにおいて、縫合線による装着感の悪化を抑制するため、縫合線の少ない筒状の胴回り部を用い、股下部における該縫合線の位置と股下布の本体への接合位置との関係を工夫したサニタリーショーツが提案されている。
【０００４】
また、近年では、股上の浅いヒップハングやローライズと言われるような、腰骨に引掛けて履くタイプのショーツが多くなってきている。特許文献３では、背丈方向（縦方向）の伸長性を、下腹部領域よりも臀部領域で高くすることによって、内部クロッチ布に取り付けられた生理用ナプキンを安定保持する技術が開示されている。また同文献には、臀部領域の上下に伸張抑制領域を配して、ショーツの身体へのフィット性、サポート性を高めることが記載されている。
【先行技術文献】
【特許文献】
【０００５】
【特許文献１】特開２００１−２７６１２９号公報
【特許文献２】特開２０１０−１３１０５８号公報
【特許文献３】特開２０１１−５０６８３号公報
【発明の概要】
【発明が解決しようとする課題】
【０００６】
特許文献１のような従来のサニタリーショーツにおいては、前身頃を形成する生地と後身頃を形成する生地とを、着用者の両側部において縫合等により接合していたため、強い収縮力の影響もあって身体に接合線の跡が付いたり、接合線によって装着感が悪化したりする場合がある。
また、特許文献２記載のサニタリーショーツは、ウエスト弾性力を強くすることで縦方向の低伸長性の効果を発揮し、吸収性物品の装着性を安定化させていたが、ウエストの締め付けが強くなるという問題があった。
【０００７】
また、特許文献３のサニタリーショーツは動きの小さい場合には優れたフィット性やサポート性を発揮する。しかし、本発明者らは、激しい動きをした際や、座位においてお臀をずらすような動きなどの際におけるフィット性及びサポート性に加え、ズレ落ちの更なる向上を目指した。
【０００８】
従って本発明の目的は、生地同士の接合線による跡が付かず、またウエストの締め付けを抑えながら、吸収性物品装着時の股下部への固定安定性と全体としてのフィット性、サポート性やズレ落ち抑制などの着用感に優れたサニタリーショーツを提供することにある。
【課題を解決するための手段】
【０００９】
本発明は、前身頃及び後身頃の間をクロッチ部を介して延びる方向である縦方向と、これに直交する幅方向を備え、吸収性物品が該クロッチ部に取り付けられて使用される、縦方向に伸長性を有するサニタリーショーツであって、前記前身頃と前記後身頃は幅方向に関して、生地である編地が接合部を有さない筒状の一体構造をなして、胴開口部を有する胴回り部を備え、前記クロッチ部の前記後身頃寄りの端部は該後身頃の編地と縫合されて縫合線を形成しており、その縫合線が幅方向の左右両端より中央部へ向かい、前記後身頃側に凸の湾曲形状となっており、前記クロッチ部における幅方向中央部に、前記縦方向に０．５Ｎ荷重を加えたときの伸長率がその外側周囲部よりも低い第１難伸長領域が、前記縫合線から前身頃方向に向かって漸次幅が狭くなるように、後身頃側の前記クロッチ部内に形成されているサニタリーショーツを提供することにより前記目的を達成したものである。
【発明の効果】
【００１０】
本発明のサニタリーショーツは、生地同士の接合線による跡が付かず、ウエストでの締め付けを抑えることができるとともに、吸収性物品装着時の股下部への固定安定性と全体としてのフィット感、サポート感などの装着感に優れ、また、動作時のズレ落ちを抑制し得る、着用感に優れるものである。
【図面の簡単な説明】
【００１１】
【図１】図１は、本発明の第１実施形態であるサニタリーショーツの着用状態を示す図であり、（ａ）は前身頃側から見た正面図、(ｂ） は後身頃側から見た背面図である。
【図２】図２は、図１に示すショーツを、着用者の両側部に位置する部分で仮想的に切断し展開した状態を内面側から見た仮想展開図である。
【図３】図３は、図１に示すショーツの製造方法を示す概略図である。
【図４】図４は、図１に示す実施形態のサニタリーショーツにおける、第１難伸長領域、第２難伸長領域、後方サポート領域、臀部帯部（腰側とクロッチ側）及び易伸長領域それぞれにおける、０−５Ｎ荷重における伸長率の変化の一例を表すグラフを示す。
【発明を実施するための形態】
【００１２】
以下、本発明のサニタリーショーツ（以下、単にショーツとも言う）を、その好ましい実施形態に基づき図面を参照しながら説明する。
【００１３】
図１及び図２に示すように、本実施形態のショーツ１は、前身頃２、後身頃３、クロッチ部４を有している。また、ショーツ１は、胴開口部５１と一対の脚開口部６，６とを有しており、着用状態において腰開口部５１の周縁が着用者の腰骨、より具体的には腸骨稜よりも十分上部に位置するスタンダードタイプである。ショーツ１では、前身頃２と後身頃３の間を、クロッチ部４を介して結んだ方向を縦方向Ｙと言い、それと直交する方向を幅方向Ｘと言う。
本実施形態のショーツ１は、図３に示すように、丸編機により製造した筒状の編地１１を、ショーツ１の一枚分の長さに切断し、切断したショーツ一枚分の編地１１から一対の脚開口部６を形成する部分１６を除去した後、クロッチ部４に対応する部分１４の後身頃３側端部領域と後身頃３に対応する部分１２とを縫合して製造されたものである。従って、ショーツ１における前身頃２、後身頃３及びクロッチ部４は、一枚の連続した編地（生地）から形成されている。特に、ショーツ１における胴開口部５１と一対の脚開口部６，６との間の筒状の胴回り部７は、前身頃２を形成する編地と後身頃３を形成する編地とが連続した共通の編地から形成されており、該胴回り部７の周方向には、編地同士を縫合等により接合した接合部が形成されていない。即ち胴回り部７は、いわゆるシームレスの一体構造となっている。胴開口部５１では、横方向に伸縮性が付与されていて、広いサイズの胴回りに適用可能となっている。また、図２に示すように、クロッチ部４を形成する編地は、クロッチ部４の前身頃２側において、前身頃２を形成する編地と連続している。これに対して、クロッチ部４を形成する編地は、後身頃３側の端部において、後身頃３を形成する編地とクロッチ部４が縫合されており、クロッチ部４と後身頃３との境界部に縫合線１５が形成されている。
尚、前身頃２、後身頃３及びクロッチ部４を形成する編地は、図２に示す仮想展開状態のショーツ１における縦方向（図２中のＹ方向）に伸長性を有しており、伸縮性を有することが好ましい。また、ショーツ１では縦方向Ｙに直交する幅方向Ｘに伸長性を備えていることが好ましく、特に伸縮性を有していることが好ましい。
【００１４】
本実施形態のショーツ１は、図１（ａ）及び図２に示すように、後身頃３とクロッチ部４の境界に、幅方向左右両側から中央部に向かい、後身頃３側へ凸に湾曲して配される縫合線１５を有している。縫合線１５は、臀部と脚部の間に亘る位置に形成されており、身体の形状に沿って装着され易くなっている。縫合線１５は後身頃３とクロッチ部４を縫合して形成されるため、生地である編地よりも縦方向Ｙ及び幅方向Ｘともに伸長し難くなっている。
【００１５】
また、図１（ｂ）及び図２に示すように、クロッチ部４の後身頃３側の領域における幅方向Ｘの中央部において、縫合線１５から前身頃２に向かう領域には、その外側周辺よりも、縦方向Ｙに０．５Ｎ荷重を加えた時（以下、荷重時と言う）の伸長率が低くなされた第１難伸長領域４１が形成されている。ここで、クロッチ部４の後身頃３側の領域とは、ショーツ１をウエスト開口部縁で合わせて縦方向Ｙに二等分した際に、クロッチ部４の後身頃３側（即ち、着用者の後側寄りに位置する領域）に位置する領域のことを言い、ショーツ１では当該領域のみに第１難伸長領域４１が設けられている。第１難伸長領域４１は、図２に示す仮想展開状態のショーツ１における縫合線１５から前身頃２側に向けて漸次幅が細くなるように配置され、例えば三角形や台形などの形状を有している。
【００１６】
第１難伸長領域４１は、下記方法により測定した縦方向Ｙの０．５Ｎ荷重時の伸長率が１５％以下、特に１２％以下、更には１０％以下であると、ショーツ内での吸収性物品の位置安定性と長時間座位におけるズレ抑制の観点から好ましい。また、１％以上であることが長時間着用時の違和感抑制の観点から好ましい。具体的には、１％以上１５％以下、特に１％以上１２％以下、更には１％以上１０％以下が好ましい。
【００１７】
［伸長率の測定方法］
ショーツより、縦方向１００ｍｍ、幅方向２５ｍｍの大きさで生地を切り出し試験片とし、テンシロン引張試験機ＲＴＣ−１２１０Ａ（商品名、ＯＲＩＥＮＴＥＣ製）を使用して測定する。テンシロンのチャック間距離を５０ｍｍとし、試験片の縦方向上端と下端の各々２５ｍｍをチャックにて掴み、ヘッドスピード３００ｍｍ／分で稼動させ、０〜６Ｎ荷重時の伸長率を測定する。ここで、伸長率は〔（荷重時の試験片の長さ−未荷重時の試験片の長さ）／未荷重時の試験片の長さ〕×１００（％）である。試験片の幅が２５ｍｍ未満の場合は２５ｍｍ幅への換算を行う。前記試験片の３点測定した平均値をショーツ各部位の伸長率とする。
【００１８】
第１難伸長領域４１は、ショーツ１の製造に用いた編地１１の当該部位における伸長率を当該部位の周囲に位置する領域よりも弱めることによって形成されている。即ち、第１難伸長領域４１は、その周囲に位置する領域（本実施形態では、後述する第２難伸長領域４２）を形成する編地との間に別の編地を配してそれら編地間を接合したり、その編地に別の編地を重ねて縫合したりして形成されたものではなく、図３に示すように、丸編機で筒状の編地１１を製造する際に、該編地の一部における、編み方及び／又は編み込む糸を、他の部分とは異ならせることで形成したものである。
【００１９】
編み方を他の部分と異ならせて第１難伸長領域４１を形成する方法としては、例えば、幅方向Ｘの伸縮性よりも縦方向Ｙへの伸縮性を抑える平編やゴム編で鹿の子などのタック等の糸抜きを用いることで、より縦方向Ｙの伸長性を調整することができる。
編み込む糸を他の部分と異ならせて第１難伸長領域４１を形成する方法としては、例えば、第１難伸張領域４１の両側に位置する部分よりも剛性の高い繊維（太い繊維、剛性の高い素材等）を配合する方法を用いることができる。また、編み込む繊維の本数を両側に位置する部分より多くする方法等を用い、第１難伸張領域４１を形成することもできる。
【００２０】
ショーツ１では、上述したような縫合線１５と第１難伸長領域４１が共存していることから、クロッチ部４の、着用者臀部と相対する部分でのズレが抑制される。臀部は座位や就寝時に座面等から常に圧力を受けるとともに、縦方向Ｙ及び幅方向Ｘへのずり応力を受ける。このために、長時間使用ではシワの発生によるフィット感の喪失やウエスト部分のズレ落ちによるサポート感の喪失が発生し易い。しかし、本実施形態のショーツ１では、以下のメカニズムによってこれら問題を解決しているものと考えられる。
【００２１】
ショーツ１では、第１難伸長領域４１が縫合線１５に隣接して形成されており、縫合線１５よりも後身頃３側へは延在しておらず、また、クロッチ部４の前身頃２側にも存在しない。縫合線１５は、前述したように、縦方向Ｙ及び幅方向Ｘに伸長し難くなっている。また、縫合線１５を臀部と脚部の間に収まるようにするために、縫合線１５がその幅方向Ｘの中央域において、クロッチ部４側から後身頃３側に向かって凸に湾曲するように編地と編地を縫合して形成されている。この縫合線１５に隣接して第１難伸長領域４１が配置されていることで、該第１難伸長領域４１の配置された位置の伸長性が抑制されるため、第１難伸長領域４１が装着者の臀溝部と臀裂部の交点に収まり易くなる。特に、０．５Ｎという、比較的小さい荷重が加わった際の伸長率を、その周囲部より小さくすることにより、クロッチ部４の後身頃３側におけるショーツ１のヨレを抑制できる。つまり、装着者の動きによって臀部及び脚部は変形するが、ショーツ１の後身頃３側において、臀部と脚部の間及び脚部と脚部の間には縫合線１５と該第１難伸長領域４１が収まって、動きを抑制することでショーツ１の形状が安定する。縦方向Ｙ及び幅方向Ｘに伸長し難い縫合線１５の作用と、縦方向Ｙに比較的小さな荷重が頻繁に加わり易い装着者の臀裂付近に、０．５Ｎという荷重で縦方向Ｙに伸長し難い第１難伸長領域４１が中心位置を安定化する。従って、縫合線１５と第１難伸長領域とを基準としてショーツ１が装着者の動作に対応して変形する。これによってナプキン等の吸収性物品のズレを防ぎつつショーツの着用感にも優れる。
しかも、筒状の胴回り部７が編地を接合することなく形成されており、胴回り部７における着用者の左右両側部に位置する部分や、第１難伸長領域４１とその縦方向Ｙの前後の伸長性が高い領域の境界部に、編地同士を縫合等して生じた接合線が存在しないため、着用者の肌に接合線による跡が付かず、全体としてのフィット性や装着感にも優れている。
【００２２】
また、ショーツ１では、クロッチ部４における第１難伸長領域４１の外側周囲に、第２難伸長領域４２が第１難伸長領域４１と隣接し、かつ囲繞するようにして形成されている。第２難伸長領域４２は、第１難伸長領域４１よりも、縦方向Ｙの０．５Ｎ荷重時の伸長率が大きい。一方で、第２難伸長領域４２は、縦方向Ｙの５Ｎ荷重時の伸長率が、その外側周囲の領域よりも小さい。第２難伸長領域４２は、比較的小さい荷重が加わった際には第１難伸長領域４１よりも伸び易いことから、装着者の動作、特に初期動作に対する追従性を良好にすることができるので、装着時の違和感を抑制できる。一方で、第２難伸長領域４２は第１難伸長領域４１が配された部分よりも荷重が加わり易いが、比較的大きい荷重が加わった際には、第２難伸長領域４２の外側周囲に存在する高い伸長領域よりもショーツ１の動きを抑制することができるので、クロッチ部４に加わった大きな荷重による動きによって吸収性物品の位置が大きくずれる、ということを抑制できる。第２難伸長領域４２は、その外側周囲の伸長性が高い領域と第１難伸長領域４１との緩衝領域として働いて、装着性を向上させることができる。
また、第２難伸長領域４２は、縫合線１５を縦断して、クロッチ部４と後身頃部３とを縦方向Ｙに跨ぐように幅方向Ｘの端部領域まで配置されるため、その緩衝作用がクロッチ部４のみならず、後身頃３まで及ぶので、寝位時や座位時のように、臀部の背側寄りでの幅方向Ｘのずり応力に伴う縦方向Ｙのズレ落ちを誘発するような動きに対しても、ショーツ１のクロッチ部４がずれ難く、内部に固定したナプキン等の吸収性物品がずれ難いとともに、ショーツ１のウエスト位置がずれ難い。特に、腰骨で履くタイプのローライズやヒップハングでの装着位置の安定性に有用である。尚ショーツ１では、第２難伸長領域４２は、クロッチ部４を構成する編地１１よりもショーツ１の縦方向Ｙへの伸長率が低く形成されている。
【００２３】
第２難伸長領域４２は、第１難伸長領域４１の動きを抑え、後述する易伸長領域４３を動き易くするため、両者の中間に配され、その形状は後身頃３側から前身頃２側に向かって漸次幅が狭くなる形状が好ましく、具体的には三角形様形状や台形様形状が好ましい。
【００２４】
ショーツ１では、第２難伸長領域４２はクロッチ部４の後身頃３側から前身頃２側にまで延在している。クロッチ部４では、前後方向の激しい動きに伴う大きな荷重が加えられる可能性があるが、ショーツ１では、このような構成によって、縦方向Ｙの広い範囲に亘って吸収性物品の位置安定性が確保され易くなっている。また、前述したように、クロッチ部４の後身頃３側に配された縫合線１５と第１難伸長領域４１の協働作業によって当該位置が安定化され易いため、比較的強い力に対しても伸長し難い第２難伸長領域４２がより吸収性物品の位置安定性に寄与することが可能となっている。
【００２５】
第２難伸長領域４２の縦方向Ｙの０．５Ｎ荷重時伸長率は、第１難伸長領域４１の伸長率よりも１．０５倍以上、特に１．１倍以上、更には１．３倍以上であることが好ましい。また、上限としては３倍以下、特に２．５倍以下、更には２．２倍以下であることが好ましい。具体的には、１．０５倍以上３倍以下、特に１．１倍以上２．５倍以下、更には１．３倍以上２．２倍以下であることが好ましい。
【００２６】
第２難伸長領域４２の縦方向Ｙの０．５Ｎ荷重時の伸長率は、２０％以下、特に１８％以下が好ましく、５％以上、特に７％以上が好ましい。具体的には、同伸長率は５％以上２０％以下、特に７％以上１８％以下が好ましい。また、第２難伸長領域４２の縦方向Ｙの５Ｎ荷重時伸長率は、４５％以下、特に４０％以下が好ましく、２０％以上、特に２５％以上であることが、柔らかい装着感を得る観点から好ましい。具体的には、同伸長率は２０％以上４５％以下、特に２５％以上４０％以下が好ましい。
【００２７】
更に、ショーツ１では、第２難伸長領域４２と脚開口部６，６の間に、その周囲部よりも開口部周り方向の伸長率が高い易伸長領域４３が形成されている。易伸長領域４３においては、脚部の動きに編地が追従するようにされており、装着者とショーツ１との間に隙間が生じ難くなる結果、吸収性物品のズレが抑制される。易伸長領域４３の、縦方向０．５Ｎ荷重時の伸長率は５％以上、特に８％以上であって、３０％以下であることが、装着者の動作追従性と適度な締め付け感による安心感を与える観点から好ましい。また、易伸長領域４３の、縦方向５Ｎ荷重時の伸長率は３５％以上、特に４０％以上であって、８０％以下、特に７０％以下であることが柔らかな装着感と大きな動きへの追従性の観点から好ましい。
【００２８】
本実施形態のショーツ１の後身頃３には、胴開口部の周縁部５０付近の幅方向中央域に、その両側部よりも縦方向Ｙの５Ｎ荷重時の伸長率が低い後方サポート領域３１が形成されている。後方サポート領域３１は、第２難伸張領域４２とは離間している。後方サポート領域３１によって、胴開口部５１の周辺部５０付近が縦方向に伸張し難くなっているので、ショーツ１の装着時に手で持ち上げて装着することが容易であり、身体の形状によっても装着性が左右され難い。またショーツ１では後方サポート領域３１は、編地によって形成されており、クロッチ部４方向から胴開口部５１の周縁部５０へ向かって漸次幅が広くなるように配されている。これによって臀部における身体の動作によるショーツの動きを抑制することができ、腰部での肌との擦れを少なくすることができる。尚、後方サポート領域３１は、その両側部よりも幅方向Ｘに伸長率が高いことが、座位でのズレ性をより抑制できるので好ましい。後方サポート領域３１の形状は例えば、クロッチ部４側に向けて漸次幅が細くなる三角形や台形などが挙げられる。後方サポート領域３１は、縦方向Ｙの５Ｎ荷重時の伸長率は２５％以上、特に３０％以上であることが好ましく、７０％以下、特に６５％以下であることが好ましい。具体的には、２５％以上７０％以下、特に３０％以上６５％以下であることが好ましい。
【００２９】
本実施形態のショーツ１は、着用者に着用されたときに、後身頃３における、後方サポート領域３１の幅方向両側に位置する部分３２，３２がショーツ１の縦方向Ｙに良好に伸長する。一方、後方サポート領域３１は相対的に伸長しない。そのため、クロッチ部４及び後身頃３のクロッチ近傍の幅方向Ｘの中央部が、着用者の股間ないし臀部の谷間に向かって引き付けられる。結果、クロッチ部４に固定した生理用ナプキン等の吸収性物品を身体に対して良好にフィットさせることができる。
【００３０】
本実施形態のショーツ１は、後身頃３の幅方向Ｘの中央部に、クロッチ部４の第２難伸長領域４２から後方サポート領域３１の間に、両領域を接続するように、その幅方向Ｘの両側に位置する部位３２，３２よりも縦方向Ｙの５Ｎ荷重時の伸長率が低い臀部帯部５が設けられている。この臀部帯部５の存在によって、装着時にショーツ１内の吸収性物品が引き上げられて、安定した形状で股間部に適度に収めることができ、臀部へのフィット性に優れる。また臀部帯部５は、クロッチ部４から後方サポート領域３１方向に向けて伸縮性が高くなるように形成することで、身体への負荷を減らしより装着感を向上させることができる。臀部帯部５はクロッチ部４から胴開口部５１に向けて伸長率が高くなることが好ましい。
【００３１】
臀部帯部５は、縦方向Ｙの５Ｎ荷重時の伸長率が５０％以下、特に４５％以下であることが好ましく、１０％以上、特に１５％以上であることが臀部への装着性の観点から好ましい。具体的には、１０％以上５０％以下、特に１５％以上４５％以下であることが好ましい。
【００３２】
また、臀部帯部５は第２難伸張領域４２の最大幅部よりも幅が小さい。臀部帯部５の幅は第２難伸張領域４２の幅の１／２以下、特に１／５以下であることが、臀部帯部５の位置が決まり易く、臀部での違和感が置き難いとともに、ズレ抑制により効果的であるので好ましい。また、下限値としては１／５０以上、特に１／２０以上であることが臀部帯体５と後方サポート領域３１による引きつれ効果が高く維持できるので好ましい。
【００３３】
臀部帯部５は、第２難伸長領域４２の近傍領域におけるクロッチ側臀部帯部５ａと、後部サポート領域３１の近傍領域のウエスト側臀部帯部５ｂと有する。クロッチ側臀部帯部５ａとウエスト側臀部帯部５ｂとでは、縦方Ｙの向５Ｎ荷重時の伸長率が異なり、クロッチ側臀部帯部５ａの方がウエスト側臀部帯部５ｂよりも伸長率が小さいことが、長時間着用時のズレをより抑制し得るので好ましい。換言すれば、臀部帯部５はその伸長率が、第２難伸長領域４２の近傍領域の方が、後部サポート領域３１の近傍領域よりも小さい。より具体的には、臀部帯部５は、これを長手方向に三等分したとき、クロッチ側寄り１／３の部分（以下、クロッチ側と言う）と腰側寄り１／３の部分（以下、腰側と言う）で伸長特性が異なり、５Ｎ荷重時にクロッチ側の方が腰側よりも伸長し難いことが、つまり伸長率が低いことがより好ましい。また、臀部帯部５のクロッチ側は第２難伸長領域４２よりも５Ｎ加重時の伸長率が低く、腰側は後方サポート領域３１よりも５Ｎ荷重時の伸長率が低いことが好ましい。また、５Ｎ荷重時の伸長率は、クロッチ側で１０％以上２５％以下が好ましく、腰側で１５％以上４５％以下であることが好ましい。
【００３４】
ショーツ１では、臀部帯部５の幅方向Ｙの両側部に位置する領域では、後身頃３を構成する編地の伸長率が、縦方向Ｙよりも幅方向Ｘの方が高い。このように構成することにより、臀溝に沿った部分での縦方向Ｙの伸長性を抑制するとともに、臀部帯部５の幅方向Ｘの両側部での幅方向Ｘへの伸長し易さによって当該部位の縦方向Ｙへのズレをより抑制することが可能となるので、着用中におけるショーツ１の装着位置をより安定化させることが可能となる。
【００３５】
第２難伸長領域４２、後方サポート領域３１、臀部帯部５は、ショーツ１の製造に用いた編地１１の当該部位における伸長率を少なくともその両側に位置する部位３２，３２より抑制することによって形成されている。即ち、これらの領域は、前述した第１難伸長領域４１等と同様に、丸編機で筒状の編地１１を製造する際に、該編地１１の一部における、編み方及び／又は編み込む糸を、他の部分とは異ならせることで、形成したものである。図４には、本実施形態のショーツ１における、第１難伸長領域、第２難伸長領域、後方サポート領域、臀部帯部（腰側とクロッチ側）及び易伸長領域それぞれにおける、０−５Ｎ荷重における伸長率の変化の一例を表すグラフを示す。
【００３６】
以上、本発明をその好ましい実施形態に基づき説明したが、本発明は前記実施形態に制限されない。
例えば、前記実施形態においては後身頃３に形成された後方サポート領域３１が前身頃２にも形成され、前方サポート領域２１としてもよい。この場合、前方サポート部２１が形成されることで、更にショーツ１の装着時に手で持ち上げて装着することが容易になり、身体の形状によって装着性が左右され難くすることができる。
【００３７】
また、クロッチ部４は内方側に吸収性物品を固定するための別材料を配置してもよい。該別材料としては、本体のクロッチ部４よりも幅が狭いことが好ましく、縦方向Ｙに伸縮性を有することが好ましい。該別材料の本体への縫合は、本体機能を損なわない限り特に限定されるものではないが、後方への縫合においては、前記縫合線１５と同じ位置に縫合されることが好ましく、これによって縫合線１５の伸長をより抑制し、機能を高めることができる。
【００３８】
また前記実施形態においては、第１難伸長領域４１が、後身頃３側のクロッチ部４内にのみ形成されていたが、この領域を超えて第１難伸長領域４１が形成されていてもよい。
【００３９】
また、前記実施形態においてはショーツ１の装着状態において脚開口部６が、装着者の大腿の付け根付近に位置するが、これに代えて、脚開口部６が装着者の大腿の付け根よりも下方に位置する、いわゆる一部丈と呼ばれるタイプにしてもよい。
【００４０】
また、ショーツ１に装着される吸収性物品としては、生理用ナプキン、失禁用パッド、パンティライナーが挙げられる。
【００４１】
上述した実施形態に関し、更に以下の吸収性物品を開示する。
〔１〕  前身頃及び後身頃の間をクロッチ部を介して延びる方向である縦方向と、これに直交する幅方向を備え、吸収性物品が該クロッチ部に取り付けられて使用される、縦方向に伸長性を有するサニタリーショーツであって、前記前身頃と前記後身頃は幅方向に関して、生地である編地が接合部を有さない筒状の一体構造をなして、胴開口部を有する胴回り部を備え、前記クロッチ部の前記後身頃寄りの端部は該後身頃の編地と縫合されて縫合線を形成しており、その縫合線が幅方向の左右両端より中央部へ向かい、前記後身頃側に凸の湾曲形状となっており、前記クロッチ部における幅方向中央部に、前記縦方向に０．５Ｎ荷重を加えたときの伸長率がその外側周囲部よりも低い第１難伸長領域が、前記縫合線から前身頃方向に向かって漸次幅が狭くなるように、後身頃側のクロッチ部内に形成されているサニタリーショーツ。
【００４２】
〔２〕  前記第１難伸長領域の縦方向０．５Ｎ荷重時の伸長率が１％以上１０％以下である前記〔１〕に記載のサニタリーショーツ。
〔３〕  前記ショーツを構成する編地が丸編みにより形成されている、前記〔１〕又は〔２〕に記載のサニタリーショーツ。
〔４〕  前記第１難伸長領域の外側周辺には、該第１難伸長領域よりも縦方向の０．５Ｎ荷重時の伸長率が高い第２難伸長領域が形成され、該第２難伸長領域はその外側周辺よりも縦方向の５Ｎ荷重時の伸長率が低く、前記縫合線を縦方向に跨いで後身頃の幅方向の端部領域まで配置されている前記〔１〕ないし〔３〕の何れか１に記載のサニタリーショーツ。
〔５〕  前記第２難伸長領域の縦方向０．５Ｎ荷重時の伸長率が、前記第１難伸長領域の縦方向伸長率の１．０５倍以上３倍以下である前記〔４〕に記載のサニタリーショーツ。
〔６〕  前記後身頃の幅方向中央域において、前記胴開口部近傍を含む領域に、その両側部よりショーツの縦方向５Ｎ荷重時の伸長率が低い後方サポート部を備える前記〔１〕ないし〔５〕の何れか１に記載のサニタリーショーツ。
【００４３】
〔７〕  前記後方サポート領域の縦方向５Ｎ荷重時の伸長率が２５％以上７０％以下である前記〔６〕に記載のサニタリーショーツ。
〔８〕  前記後身頃の幅方向中央域において、前記第２難伸長領域から前記後方サポート部の間に、縦方向５Ｎ荷重時の伸長率がその幅方向外側よりも低い臀部帯部を有しており、前記臀部帯部は前記クロッチ部から胴開口部に向けて伸長率が高くなる前記〔６〕又は〔７〕に記載のサニタリーショーツ。
〔９〕  前記臀部帯部は、縦方向５Ｎ荷重時の伸長率が、第２難伸長領域の近傍領域の方が、後部サポート領域の近傍領域よりも小さい、前記〔８〕に記載のサニタリーショーツ。
〔１０〕  前記臀部帯部を長手方向に三等分したとき、クロッチ側寄り１／３の部分の方が腰側寄り１／３の部分よりも、５Ｎ荷重時の伸長率が低い、前記〔９〕に記載のサニタリーショーツ。
〔１１〕  前記臀部帯部のクロッチ側寄りの１／３の部分は前記第２難伸長領域よりも５Ｎ荷重時の伸長率が低い、前記〔１０〕に記載のサニタリーショーツ。
〔１２〕  前記臀部帯部の腰側寄り１／３の部分は前記後方サポート領域よりも５Ｎ荷重時の伸長率が低い、前記〔１０〕又は〔１１〕に記載のサニタリーショーツ。
〔１３〕  前記臀部帯部の両側部に位置する、前記後身頃を構成する編地の該ショーツの幅方向への伸長率が縦方向への伸長率に比べて高い前記〔８〕ないし〔１２〕の何れか１に記載のサニタリーショーツ。
〔１４〕  前記幅方向にも伸長性を有する前記〔１〕ないし〔１３〕の何れか１に記載のサニタリーショーツ。
【００４４】
〔１５〕  更に、前記縦方向に伸縮性を備える前記〔１〕ないし〔１４〕の何れか１に記載のサニタリーショーツ。
〔１６〕  前記第２難伸長性領域と脚開口部との間に、その周囲部よりも該脚開口部周り方向の伸長性が高い易伸長領域を備える前記〔３〕ないし〔１５〕の何れか１に記載のサニタリーショーツ。
〔１７〕  前記第２難伸長領域は、前記第１難伸長領域と前記易伸長領域の中間に配され、後身頃側から前身頃側に向かって漸次幅が狭くなる形状である前記〔１６〕に記載のサニタリーショーツ。
〔１８〕  前記サニタリーショーツは、その胴開口部周縁を腰骨に引掛けて履くタイプである、前記〔１〕ないし〔１７〕の何れか１に記載のサニタリーショーツ。
〔１９〕  前記第１難伸長領域が縫合線よりも後身頃側へは延在していない、前記〔１〕ないし〔１８〕の何れか１に記載のサニタリーショーツ。
〔２０〕  前記第１難伸長領域が前記クロッチ部の前身頃側には延在していない、前記〔１〕ないし〔１９〕の何れか１に記載のサニタリーショーツ。
〔２１〕  前記第１難伸長領域が前記クロッチ部のみに存在している、前記〔１９〕又は〔２０〕記載のサニタリーショーツ。
【符号の説明】
【００４５】
１  サニタリーショーツ
２  前身頃
３  後見頃
４  クロッチ部
５  臀部帯部
５ａ  クロッチ側臀部帯部
５ｂ  ウエスト側臀部帯部
６  脚開口部
７  胴回り部
１５  縫合線
３１  後方サポート領域
４１  第１難伸長領域
４２  第２難伸長領域
５１  胴開口部
【図１】
2014110829.tif 000003
【図２】
2014110829.tif 000004
【図３】
2014110829.tif 000005
【図４】
2014110829.tif 000006